(57)【要約】【課題】  第三者の不正操作によって中継装置の動作に不具合が生じることを防止できる温水利用システム及びそれに用いられる中継装置を提供する。【解決手段】  温水利用設備の一例である給湯器１と、給湯器１と通信を行うとともに通信網４を介して管理サーバ５と通信を行う中継装置２と、を備えた温水利用システムであって、中継装置２は、屋外に設置されて、通信網４と通信するための接続設定を行う際に操作される通信設定用スイッチ（操作スイッチ２ａ，２ｗ）を有しており、中継装置２とは別体に設けられ、通信設定用スイッチによる操作を有効にするか無効にするかを切り替える切替え部を備えている。【選択図】  図１
2019095139.tif 000002
【特許請求の範囲】
【請求項１】
温水利用設備と、前記温水利用設備と通信を行うとともに通信網を介して管理サーバと通信を行う中継装置と、を備えた温水利用システムであって、
前記中継装置は、屋外に設置されて、前記通信網と通信するための接続設定を行う際に操作される通信設定用スイッチを有しており、
前記中継装置とは別体に設けられ、前記通信設定用スイッチによる操作を有効にするか無効にするかを切り替える切替え部を備えた、
温水利用システム。
【請求項２】
前記切替え部は屋内に設置されている、請求項１に記載の温水利用システム。
【請求項３】
前記温水利用設備を遠隔操作するためのリモコンをさらに備え、
前記切替え部は前記リモコンに設けられている、
請求項１または２に記載の温水利用システム。
【請求項４】
前記切替え部によって前記通信設定用スイッチによる操作が無効にされているときに、前記通信設定用スイッチに対して操作が行われた場合に、不正操作が行われた旨をユーザに報知する報知部をさらに備えた、
請求項１〜３のいずれかに記載の温水利用システム。
【請求項５】
前記中継装置の前記通信網と通信するための接続設定は、前記通信網に接続された無線ＬＡＮルータと通信するための接続設定である、
請求項１〜４のいずれかに記載の温水利用システム。
【請求項６】
請求項１〜５のいずれかに記載の温水利用システムに用いられる中継装置。
【発明の詳細な説明】
【技術分野】
【０００１】
本発明は、給湯器等の温水利用設備を有する温水利用システム及びそれに用いられる中継装置に関する。
【背景技術】
【０００２】
従来、インターネット等の通信網に接続されたサーバによって住宅設備機器を管理する遠隔管理システムが知られている。例えば、特許文献１には、スマートフォン等の通信端末を操作して、サーバを介して住宅内の電気機器を遠隔制御したり、電気機器の稼働状態を確認できる構成が開示されている。
【０００３】
ところで、従来、給湯器等の温水利用設備の遠隔管理システムでは、例えば、温水利用設備と通信線で接続された中継装置が、通信網に接続されたルータと有線または無線通信によって接続されている。そして、中継装置が、通信網に接続された管理サーバと通信可能に接続されることにより、温水利用設備と管理サーバとの間では、双方向の情報伝送が可能になっている。例えば、温水利用設備の各種情報が、中継装置、ルータ及び通信網を介して管理サーバへ伝送される。また、スマートフォン等の通信端末を用いて、管理サーバを介して温水利用設備を遠隔操作したり、温水利用設備の状態の確認を行うこともできるようになっている。
【先行技術文献】
【特許文献】
【０００４】
【特許文献１】特開２０１６−１１６１５９号公報
【発明の概要】
【発明が解決しようとする課題】
【０００５】
上記の温水利用設備の遠隔管理システムにおいては、中継装置が屋外に設置されている場合がある。このような場合、中継装置が第三者によって不正操作される虞がある。中継装置には、種々の操作スイッチが設けられている。例えば、ＷＰＳ機能によってルータ（無線ＬＡＮルータ）との通信の接続設定をするための操作スイッチ（ＷＰＳスイッチ）や、無線ＬＡＮアクセスポイントとして動作させるための操作スイッチ（ＡＰスイッチ）が設けられている。このようなＷＰＳスイッチやＡＰスイッチが第三者によって不正操作された場合、中継装置のルータとの通信の接続設定が変更される等して、中継装置の動作に不具合が生じる虞がある。
【０００６】
本発明は上記のような課題を解決するためになされたもので、第三者の不正操作によって中継装置の動作に不具合が生じることを防止できる温水利用システム及びそれに用いられる中継装置を提供することを目的としている。
【課題を解決するための手段】
【０００７】
上記目的を達成するために、本発明のある態様に係る温水利用システムは、温水利用設備と、前記温水利用設備と通信を行うとともに通信網を介して管理サーバと通信を行う中継装置と、を備えた温水利用システムであって、前記中継装置は、屋外に設置されて、前記通信網と通信するための接続設定を行う際に操作される通信設定用スイッチを有しており、前記中継装置とは別体に設けられ、前記通信設定用スイッチによる操作を有効にするか無効にするかを切り替える切替え部を備えている。
【０００８】
この構成によれば、例えばユーザが切替え部を操作して通信設定用スイッチによる操作を無効にしておくことで、第三者によって通信設定用スイッチの不正操作が行われても、通信網との接続設定の変更等が行われることがなく、中継装置の動作に不具合が生じることを防止できる。
【０００９】
前記切替え部は屋内に設置されていることが好ましい。このように切替え部が屋内に設置されていることで、第三者による切替え部の操作を可及的に防止できる。
【００１０】
前記温水利用設備を遠隔操作するためのリモコンをさらに備え、前記切替え部は前記リモコンに設けられていてもよい。この構成によれば、切替え部をリモコンとは別体に構成しなくて済む。
【００１１】
前記切替え部によって前記通信設定用スイッチによる操作が無効にされているときに、前記通信設定用スイッチに対して操作が行われた場合に、不正操作が行われた旨をユーザに報知する報知部をさらに備えていてもよい。
【００１２】
この構成によれば、報知部によって不正操作が行われた旨がユーザに報知されるので、第三者が不正操作したときに、その対処を迅速に行うことができる。
【００１３】
前記中継装置の前記通信網と通信するための接続設定は、前記通信網に接続された無線ＬＡＮルータと通信するための接続設定であってもよい。
【００１４】
また、本発明のある態様に係る中継装置は、上記の温水利用システムに用いられる中継装置である。
【発明の効果】
【００１５】
本発明は、以上に説明した構成を有し、第三者の不正操作によって中継装置の動作に不具合が生じることを防止できる温水利用システム及びそれに用いられる中継装置を提供することができるという効果を奏する。
【図面の簡単な説明】
【００１６】
【図１】図１は、本発明の実施形態の一例の温水利用システムを含む遠隔管理システムの概略構成図である。
【図２】図２（Ａ）は、給湯器のリモコンの表示部に通常表示されるトップ画面の一例を示す図であり、図２（Ｂ）は、給湯器のリモコンの表示部に表示される操作効力切替え画面の一例を示す図である。
【発明を実施するための形態】
【００１７】
以下、好ましい実施の形態を、図面を参照しながら説明する。また、本発明は、以下の実施形態に限定されない。
【００１８】
（実施形態）
図１は、本発明の実施形態の一例の温水利用システムを含む遠隔管理システムの概略構成図である。この遠隔管理システムは、温水利用設備の一例である給湯器１と、給湯器１のリモコン（リモートコントローラ）１Ｒと、給湯器１に内蔵されているコントローラ１ａと通信可能に接続された給湯器専用の中継装置２と、インターネット等の通信網４に接続されたコンピュータからなる管理サーバ５と、ユーザが所有しているスマートフォン等からなる通信端末６とを備えている。管理サーバ５は、通信網４及びこの通信網４に接続されたルータ３を介して中継装置２と通信を行う。ルータ３は、給湯器１を含む温水利用システムＡが設置されている住宅Ｈｍの入居者（ユーザ）が所有しているものであり、ここでは、無線ＬＡＮルータである。
【００１９】
温水利用システムＡは、給湯器１と、給湯器１を遠隔操作するためのリモコン１Ｒと、給湯器専用の中継装置２とで構成されている。
【００２０】
給湯器１は、例えば、住宅Ｈｍの屋外の所定の場所に設置され、台所や浴槽等に湯水を供給する給湯機能等を備えている。給湯器１は、例えば、燃焼加熱式の給湯器であり、熱交換器、ガスまたは灯油を燃料として熱交換器を加熱する燃焼装置、熱交換器等に接続され湯水の流路となる配管、燃料配管、各種センサ及びコントローラ１ａなどが筺体内に収納されて構成されている。
【００２１】
コントローラ１ａは、例えば、ＣＰＵ及びメモリ（ＲＡＭ及びＲＯＭ等）を有するマイクロコントローラ等によって構成され、給湯器１全体の動作を制御する。また、コントローラ１ａは、通信線となる２心ケーブルＣ１によってリモコン１Ｒ及び中継装置２と接続されており、両者との間で双方向通信が可能である。
【００２２】
リモコン１Ｒは、住宅Ｈｍの屋内の所定の場所に設置され、２心ケーブルＣ１によって給湯器１のコントローラ１ａ及び中継装置２と接続されており、両者との間で双方向通信が可能である。リモコン１Ｒには、操作部（図示せず）及び液晶画面等を有する表示部１１が設けられている。ユーザがリモコン１Ｒの操作部を操作することにより、操作部の操作に応じた制御信号が給湯器１のコントローラ１ａへ送信されるよう構成されており、ユーザが給湯器１の運転モードや給湯温度の設定等の各種設定を行うことができる。また、給湯器１のコントローラ１ａから給湯器１の動作状態等を示す情報が入力され、表示部１１に表示される。また、設定された給湯温度等も表示部１１に表示される。また、リモコン１Ｒには、ブザー音や音声等を出力するためのスピーカが内蔵されていてもよい。
【００２３】
中継装置２は、前述のように、２心ケーブルＣ１を介して給湯器１のコントローラ１ａ及びリモコン１Ｒの両者との間で双方向通信が可能である。また、中継装置２は、ルータ３との間で無線ＬＡＮによる無線通信が可能である。例えば、中継装置２は、給湯器１のコントローラ１ａから送信されてきた機器情報を、通信形式を変換してルータ３及び通信網４を介して管理サーバ５へ送信する。また、管理サーバ５から通信網４及びルータ３を介して送信されてきた情報を、通信形式を変換して給湯器１のコントローラ１ａへ送信する。
【００２４】
ここで、給湯器１のコントローラ１ａから管理サーバ５へ送信される機器情報としては、コントローラ１ａと中継装置２との通信の最初に送信される給湯器１の種類等を示す機器構成情報、定期的（例えば１時間間隔）に送信される給湯器１の運転状態を示す運転状態情報、給湯器１の異常を示すエラー情報等がある。運転状態情報は、給湯器１の給湯設定温度、燃焼運転回数、燃焼運転時間等を含む情報である。
【００２５】
管理サーバ５は、給湯器１のコントローラ１ａから中継装置２を介して送信されてくる機器情報を記憶する第１記憶部を備えている。機器情報は、中継装置２から中継装置２のシリアル番号とともに管理サーバ５へ送信される。そして管理サーバ５では、受信した機器情報を、中継装置２のシリアル番号と関連付けて第１記憶部に記憶している。
【００２６】
また、管理サーバ５は、関連付け情報を記憶する第２記憶部を備えている。関連付け情報は、例えば、中継装置２のシリアル番号とユーザの通信端末６から送信されたユーザアカウントとが関連付けされてなる情報である。
【００２７】
なお、管理サーバ５は、通信網４に接続された複数のコンピュータで構成されていてもよい。すなわち、管理サーバ５は、その機能を分担して実行する複数のサーバで構成されていてもよい。
【００２８】
通信端末６は、スマートフォン等のユーザ所有の携帯端末であり、３Ｇ（第３世代）あるいは４Ｇ（第４世代）携帯電話網の基地局等を介して通信網４に接続可能である。この通信端末６には、温水利用システム専用のアプリケーションプログラム（以下、「システム専用アプリ」という）がインストールされており、ユーザは、通信端末６を操作して、システム専用アプリを起動させ、管理サーバ５等を介して給湯器１の遠隔操作及び状態確認などを行うことができる。
【００２９】
次に、中継装置２についてより詳しく説明する。中継装置２は、例えば、制御部２０、通信部２１、無線通信部２２、ＷＰＳ（Wi-Fi Protected Setup）機能によってルータ（無線ＬＡＮルータ）との通信の接続設定をするための操作スイッチ（ＷＰＳスイッチ）２ｗ、及び無線ＬＡＮアクセスポイントとして動作させるための操作スイッチ（ＡＰスイッチ）２ａ等を備えている。これらは、中継装置２の筐体内に収納されており、ＷＰＳスイッチ２ｗ及びＡＰスイッチ２ａ等の操作スイッチの操作は、筐体の蓋を開けて行うことができる。
【００３０】
制御部２０は、例えば、ＣＰＵ及びメモリを含むマイクロコントローラ等によって構成することができる。制御部２０では、ＣＰＵがメモリに記憶された制御用のソフトウェアを読み出して実行することにより、中継装置２全体の動作を制御する。
【００３１】
通信部２１は、２心ケーブルＣ１を介して給湯器１のコントローラ１ａ及びリモコン１Ｒの両者との間で通信を行うための通信処理を行う。また、無線通信部２２は、ルータ３及び通信網４を介して管理サーバ５と通信を行う。この際、無線通信部２２は、ルータ３との間で、無線ＬＡＮの規格に基づく無線通信を行うための通信処理を行う。
【００３２】
制御部２０は、給湯器１のコントローラ１ａから送信され、通信部２１で受信した情報のうち管理サーバ５へ送信する情報を無線通信部２２から送信させる。また、制御部２０は、管理サーバ５から送信されて無線通信部２２で受信した情報のうちコントローラ１ａおよび／又はリモコン１Ｒへ送信する情報を通信部２１から送信させる。
【００３３】
ＷＰＳスイッチ２ｗ及びＡＰスイッチ２ａは、中継装置２におけるルータ３との通信の接続設定（通信設定）を行う際に操作される通信設定用スイッチである。例えばユーザによってＷＰＳスイッチ２ｗを押す操作が行われると、その操作による操作信号が制御部２０に入力され、ＡＰスイッチ２ａを押す操作が行われると、その操作による操作信号が制御部２０に入力され、制御部２０では、操作信号に応じた処理を行う。
【００３４】
ユーザは、中継装置２におけるルータ３との無線ＬＡＮの接続設定を行う際に、例えば、中継装置２のＷＰＳスイッチ２ｗとルータ３のＷＰＳスイッチ３ｗとを押すことにより、自動的に接続設定を行うことができる。
【００３５】
また、ユーザは、ＡＰスイッチ２ａを操作して中継装置２とルータ３との無線ＬＡＮの接続設定を行うこともできる。ＡＰスイッチ２ａは、無線ＬＡＮアクセスポイントの機能をオンオフするためのスイッチである。ユーザによってＡＰスイッチ２ａが押されると、制御部２０は、無線通信部２２を無線ＬＡＮアクセスポイントとして機能させる。次に、ユーザは、通信端末６を操作して通信端末６を中継装置２に接続する。具体的には、通信端末６の表示部の画面に表示されるアクセスポイントのリストから中継装置２を選択し、暗号化キーを入力する。
【００３６】
上記のように、通信端末６を中継装置２に接続した後、ユーザは、通信端末６を操作して通信端末６の表示部に無線ＬＡＮの通信設定画面を表示させる。この通信設定画面上で、ルータ３のＳＳＩＤと暗号化キーを入力すると、ルータ３のＳＳＩＤと暗号化キーが無線通信部２２へ送信される。これにより、中継装置２とルータ３との無線ＬＡＮの接続設定を行うことができる。
【００３７】
また、ユーザによってＡＰスイッチ２ａが押されて中継装置２（無線通信部２２）が無線ＬＡＮアクセスポイントとして機能し、通信端末６が中継装置２に接続されると、通信端末６はシステム専用アプリによって中継装置２のシリアル番号を取得し記憶している。その後、再度通信端末６のシステム専用アプリを起動し、管理サーバ５が提供しているユーザ管理サイトにログインし、中継装置２のシリアル番号を管理サーバ５へ送信する。管理サーバ５では、ログインしたときに通信端末６から送信されたユーザアカウントと中継装置２のシリアル番号とを関連付けし、これらの情報を関連付け情報として第２記憶部に記憶する。このように管理サーバ５に関連付け情報が記憶された後、ユーザは、通信端末６を操作して、管理サーバ５が提供しているユーザ管理サイトにログインし、このログインしたときのユーザアカウントと関連付けられたシリアル番号の中継装置２に接続されている給湯器１の遠隔操作や給湯器１の状態確認を行うことが可能になる。
【００３８】
中継装置２が例えば屋外に設置されている場合、ルータ３との通信の接続設定を行う際に用いるＷＰＳスイッチ２ｗやＡＰスイッチ２ａが、悪意のある第三者によって不正操作が行われる虞がある。
【００３９】
そこで、本実施形態では、ＷＰＳスイッチ２ｗ及びＡＰスイッチ２ａによる操作を有効にするか無効にするかを切り替えるための操作が行われる操作効力切替え部（切替え部）を備えている。この操作効力切替え部は、中継装置２とは別体に備えられ、例えばリモコン１Ｒに備えられている。
【００４０】
図２（Ａ）は、給湯器１の運転中にリモコン１Ｒの表示部１１に通常表示されるトップ画面の一例を示す図であり、図２（Ｂ）は、通信設定用スイッチ（ＷＰＳスイッチ２ｗ及びＡＰスイッチ２ａ）による操作を有効にするか無効にするかを切り替えるために用いられる操作効力切替え画面（以下、「切替え画面」ともいう）の一例を示す図である。
【００４１】
ここでは、リモコン１Ｒの表示部１１にはタッチパネルを備えており、図２（Ｂ）に示す切替え画面は、例えば、図２（Ａ）に示すトップ画面の「メニュー」をタッチ操作してメニュー画面を表示させ、そのメニュー画面から呼び出すことができる。
【００４２】
図２（Ｂ）に示す切替え画面を呼び出したときには、その時点で設定されている状態が例えば点滅表示される。例えば、画面上の「有効」が点滅表示されている場合には、通信設定用スイッチによる操作が有効な状態であり、「無効」が点滅表示されている場合には、通信設定用スイッチによる操作が無効な状態である。例えば、「有効」が点滅表示されている場合に、「無効」をタッチ操作すると、「有効」は通常表示となり、「無効」が点滅表示に切り替わり、リモコン１Ｒから中継装置２の通信部２１へ操作無効情報が送信される。一方、「無効」が点滅表示されている場合に、「有効」をタッチ操作すると、「無効」は通常表示となり、「有効」が点滅表示に切り替わり、リモコン１Ｒから中継装置２の通信部２１へ操作有効情報が送信される。
【００４３】
中継装置２の制御部２０では、操作無効情報及び操作有効情報を相互排他的に記憶する記憶領域（第１記憶領域）を備えている。この第１記憶領域に操作有効情報が記憶されているときに、通信部２１へ操作無効情報が入力されると、操作有効情報を操作無効情報に書き換える。一方、第１記憶領域に操作無効情報が記憶されているときに、通信部２１へ操作有効情報が入力されると、操作無効情報を操作有効情報に書き換える。
【００４４】
なお、図２（Ｂ）に示す切替え画面を呼び出したときには、リモコン１Ｒは中継装置２から第１記憶領域に記憶されている操作有効情報または操作無効情報を取得し、この取得した情報に基づいて「有効」または「無効」を点滅表示するよう構成されている。
【００４５】
ここで、リモコン１Ｒにも、中継装置２の第１記憶領域と同様の記憶領域を備え、当該記憶領域に記憶されている操作有効情報または操作無効情報に基づいて、図２（Ｂ）に示す切替え画面上の「有効」または「無効」を点滅表示するようにしてもよい。
【００４６】
なお、図２（Ｂ）に示す切替え画面において、通信設定用スイッチによる操作が有効な状態であるか、無効な状態であるかの表示方法は、種々変更可能であり、上述の例に限定されるものではない。また、状態を切り替えるための操作方法についても、種々変更可能であり、上述の例に限定されるものではない。
【００４７】
また、中継装置２の制御部２０では、第１記憶領域に操作有効情報が記憶されているときに、ＷＰＳスイッチ２ｗあるいはＡＰスイッチ２ａが操作されて操作信号が入力されると、その操作信号を有効な信号として操作信号に応じた処理を行う。一方、第１記憶領域に操作無効情報が記憶されているときに、ＷＰＳスイッチ２ｗあるいはＡＰスイッチ２ａが操作されて操作信号が入力されると、その操作信号を無効な信号として（言い換えれば操作信号が入力されなかったものとみなす）、操作信号に応じた処理は行わない。
【００４８】
さらに、制御部２０は、不正操作判定部として機能し、通信設定用スイッチによる操作が無効な状態であるとき、すなわち、第１記憶領域に操作無効情報が記憶されているときに、ＷＰＳスイッチ２ｗ及びＡＰスイッチ２ａの少なくとも一方が操作され、当該操作による操作信号が入力されたときには、不正操作が行われたと判定する。そして、制御部２０は、不正操作が行われたと判定すると、不正操作が行われた旨を示す情報（不正操作情報）を通信部２１からリモコン１Ｒへ送信するよう構成されている。
【００４９】
リモコン１Ｒでは、不正操作情報を受信すると、不正操作が行われた旨をユーザに報知する。この報知方法としては、不正操作が行われた旨を、例えば、表示部１１の画面に表示するようにしてもよいし、内蔵しているスピーカから音声出力するようにしてもよい。この場合、リモコン１Ｒが不正操作情報をユーザに報知する報知部として機能する。
【００５０】
また、制御部２０は、不正操作情報を無線通信部２２からルータ３及び通信網４を介して管理サーバ５へ送信するようにしてもよい。そして、管理サーバ５は、不正操作情報を受信すると、第２記憶部に記憶されている関連付け情報に基づいて、中継装置２と対応する通信端末６へ、例えば電子メールで不正操作情報を送信するようにしてもよいし、電子メールに代えて、システム専用アプリを利用して不正操作情報を送信するようにしてもよい。この場合、通信端末６が不正操作情報をユーザに報知する報知部として機能する。
【００５１】
本実施形態では、ユーザは、中継装置２におけるルータ３との通信の接続設定を行った後、リモコン１Ｒを操作して通信設定用スイッチ（ＷＰＳスイッチ２ｗ及びＡＰスイッチ２ａ）による操作を無効にしておくことで、第三者によって通信設定用スイッチの不正操作が行われても、中継装置２におけるルータ３との接続設定の変更等が行われることがなく、中継装置２の動作に不具合が生じることを防止できる。また、ＡＰスイッチ２ａによる操作が有効である場合に、第三者がＡＰスイッチ２ａを操作し、第三者の通信端末によって中継装置２のシリアル番号が盗まれて、管理サーバ５に記憶されている関連付け情報が書き換えられ、第三者の通信端末によって給湯器１の遠隔操作が行われることを、ＡＰスイッチ２ａによる操作を無効にすることで防止できる。以上の効果は、第三者が侵入しやすい屋外に中継装置２が設置されている場合に、より享受することができる。
【００５２】
また、通信設定用スイッチの不正操作が行われたとき、不正操作が行われた旨がリモコン１Ｒやユーザの通信端末６によってユーザに報知されるので、第三者が不正操作したときに、その対処を迅速に行うことができる。なお、通信設定用スイッチによる操作が無効にされていることを知らないで、ユーザが通信設定用スイッチを操作した場合にも、同様に報知されるので、この場合には、ユーザは、操作が無効になっていることを知ることができ、操作が有効になるように切り替えてから操作を行うことができる。
【００５３】
また、本実施形態では、操作効力切替え部及び報知部をリモコン１Ｒに備えることで、それらをリモコン１Ｒとは別体に構成しなくてすむが、操作効力切替え部及び報知部をリモコン１Ｒとは別体に分離して屋内に設けることも可能である。操作効力切替え部を屋内に設けることで、第三者による操作効力切替え部の切替え操作を可及的に防止できる。
【００５４】
また、本実施形態において、ユーザが通信端末６を操作して操作効力切替え部の機能を実行するように構成されていてもよい。この場合、ユーザは通信端末６を操作して管理サーバ５が提供しているユーザ管理サイトにログインし、所定の操作を行うことにより、操作有効情報または操作無効情報を管理サーバ５へ送信する。すると、管理サーバ５は、ログイン時に取得したユーザアカウントが含まれる関連付け情報を参照し、この関連付け情報に含まれるシリアル番号を有する中継装置２へ操作有効情報または操作無効情報を送信する。中継装置２では、受信した操作有効情報または操作無効情報を制御部２０内の第１記憶領域に記憶する。以上のように構成してもよい。
【００５５】
また、本実施形態では、中継装置２の制御部２０が不正操作判定部として機能するようにしているがこれに限られない。不正操作判定部の機能をコントローラ１ａ、リモコン１Ｒ、あるいは管理サーバ５に備えた構成とすることも可能である。また、操作有効情報及び操作無効情報を相互排他的に記憶する第１記憶領域も、コントローラ１ａ、リモコン１Ｒ、あるいは管理サーバ５に備えた構成とすることも可能である。
【００５６】
なお、ユーザの住宅Ｈｍ内に無線中継器（無線ＬＡＮ中継器）が備えられている場合には、中継装置２とルータ（無線ＬＡＮルータ）３とは、無線中継器を介して通信可能に接続されるように構成してもよい。
【００５７】
また、中継装置２は、ルータ３との接続を無線接続に限らず、ＬＡＮケーブルで接続される構成でもよい。この場合の中継装置を中継装置２Ａとすると、この中継装置２Ａにも上述同様のＡＰスイッチ２ａが設けられている。そして、ＡＰスイッチ２ａが押されると、中継装置２Ａは、無線ＬＡＮアクセスポイントとして機能し、通信端末６を中継装置２Ａに接続することができる。そして通信端末６を中継装置２Ａに接続した状態で、さらに、通信端末６を操作することによって、中継装置２Ａに対してルータ３との有線ＬＡＮの接続設定（設定の変更も可能）を行うことができるよう構成されている。また、通信端末６が中継装置２Ａに接続されたときに中継装置２Ａのシリアル番号を取得し、その後、通信端末６を用いて管理サーバ５が提供しているユーザ管理サイトにログインし、中継装置２のシリアル番号を管理サーバ５へ送信することで、管理サーバ５では、関連付け情報が第２記憶部に記憶される。
【００５８】
また、上記の実施形態において、温水利用設備の一例である給湯器１は、燃焼加熱式のものに限定されない。例えば、ヒートポンプで加熱するものや、燃料電池やガスエンジンの排熱を用いて加熱するもの等であってもよい。また、給湯器１は、給湯機能だけでなく、他の機能を有していてもよい。例えば、浴槽と接続されて浴槽へ湯張りする注湯機能及び浴槽水の追い焚き機能を有していてもよい。また、温水式暖房端末と接続されて温水式暖房端末との間で温水を循環させる温水暖房機能を有していてもよい。また、温水利用設備は、給湯器に限らず、例えば、浴槽との間に循環流路が設けられて循環流路を流れる浴槽の湯水をろ過するろ過装置等でもよい。
【００５９】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００６０】
本発明は、第三者の不正操作によって中継装置の動作に不具合が生じることを防止できる温水利用システム及びそれに用いられる中継装置等として有用である。
【符号の説明】
【００６１】
Ａ  温水利用システム
１  給湯器
２  中継装置
３  ルータ
４  通信網
５  管理サーバ
１Ｒ  リモコン
２ａ，２ｗ  操作スイッチ
【図１】
2019095139.tif 000003
【図２】
2019095139.tif 000004